(57)【要約】【課題】水平なパイプ内に特殊な仕掛けを必要とせず、またストッパー板を使用しなくとも速やかに通水路を形成可能なパイプ部材、このパイプ部材が用いられた地中連続壁および地中連続壁の通水路形成方法を提供する。【解決手段】両端が開口した水平なパイプ部２と垂直なパイプ部３とから形成する。垂直なパイプ部３は水平なパイプ部２の中央位置に垂直に設け、かつ水平なパイプ部２の中央位置に接続する。また、垂直なパイプ部３と水平なパイプ部２とは互いに連通している。また、垂直なパイプ部３は噴射装置（図省略）を挿入し得る内径に形成する。水平なパイプ部の両端は開口部（開口端）４である。【選択図】                図１
2004176498.tif 000002
【特許請求の範囲】
【請求項１】
両端が開口した水平なパイプ部と、装置類を挿入可能な内径に形成され、かつ前記水平なパイプ部の中央位置に当該水平なパイプ部と連通した状態に設けられた垂直なパイプ部とから形成されてなることを特徴とする地中連続壁の通水路形成用パイプ部材。
【請求項２】
地中連続壁補強用断面Ｈ型の鋼製部材のフランジ部に設けられた穴に両端が開口した状態で取り付けられた水平なパイプ部と、装置類を挿入可能な内径に形成され、前記水平なパイプ部の中央位置に当該水平なパイプ部に連通した状態に設けられて上方に延びている垂直なパイプ部とから形成され、前記水平なパイプ部が前記鋼製部材のフランジ部に固定されているか、前記垂直なパイプ部の少なくとも一部が前記鋼製部材のウェブ部に固定されているか、或いは前記水平なパイプ部が前記鋼製部材のフランジ部に固定され、かつ前記垂直なパイプ部の少なくとも一部が前記鋼製部材のウェブ部に固定されていることを特徴とする地中連続壁の通水路形成用パイプ部材。
【請求項３】
地中連続壁内に通水路形成用パイプ部材が埋設されてなり、前記通水路形成用パイプ部材は前記地中連続壁内を水平に貫通した通水路として埋設された水平なパイプ部と、装置類を挿入可能な内径に形成され、かつ前記水平なパイプ部の中央位置に当該水平なパイプ部と連通した状態に埋設された垂直なパイプ部とから形成されてなることを特徴とする通水路を有する地中連続壁。
【請求項４】
両端が開口した水平なパイプ部と、当該水平なパイプ部の中央位置に当該水平なパイプ部と連通した状態に設けられた垂直なパイプ部とからなる通水路形成用パイプ部材を、前記水平なパイプ部の両端の開口部を封鎖材で塞いだ状態でソイルセメントからなる地中連続壁内に沈設し、前記ソイルセメントが流動性を失った後、前記垂直なパイプ部内に噴射口を有する噴射装置を挿入し、かつ前記水平なパイプ部内で前記噴射口から高圧水を噴射して前記封鎖材を除去することにより前記地中連続壁に通水路を形成することを特徴とする地中連続壁の通水路形成方法。
【発明の詳細な説明】
【０００１】
【発明の属する技術分野】
本願発明は地下水の通水路を有する地中連続壁、地中連続壁に地下水の通水路を形成する通水路形成方法および地中連続壁に地下水の通水路を形成するための通水路形成用パイプ部材に関する。
【０００２】
【従来の技術】
地中連続壁を構築すると、その地中連続壁により地下水流が遮断され、上流側の地下水位の上昇や下流側の地下水位の低下など、地中連続壁の存在が地下水流の挙動に大きな影響を与えるので、従来から地中連続壁内に地下水の通水路を確保する試みが種々提案されている。
【０００３】
例えば、地中連続壁の構築の際に、ウォータージェットノズル部を有する高圧パイプを保護筒によって周囲を保護した状態で予め埋設し、地中連続壁の構築が終了した後、ジェットノズル部から高圧水を噴射させることにより、地中連続壁の一部を破砕して地中連続壁を横断する方向に貫通する空間を形成することが提案されている（例えば、特許文献１参照）。
【０００４】
しかしながら、この方法では地中連続壁を横断する方向に貫通する空間の形状を制御することは困難であり、単なるひび割れになる恐れがある。
【０００５】
そこで、バネを内在することにより外方へ伸長可能とした水平なパイプを予めＨ型鋼材のフランジ部に設けた穴に装着すると共に、そのフランジ部の外側にストッパー板を沿わせることにより、パイプのバネ材による伸長を制限する。
【０００６】
そのようなストッパー板とパイプ付きのＨ型鋼材をソイルセメントの地中連続壁内に沈設し、その後、ソイルセメントが固化する前にストッパー板を上方に引き抜いて撤去することにより、パイプを地下水の通水路とする方法が提案されている（例えば、特許文献２参照）。
【０００７】
また、両端を封鎖材で塞がれた水平なパイプをＨ型鋼材のフランジ部に設けた穴に予め装着すると共に、地上に続く圧力ホースによって外側に張り出すように構成された押出し装置を前記のパイプ内に内蔵させ、その押し出しにより外側に押し出される内管を前記のパイプ内に内蔵させ、連続壁の構築後、圧力パイプに油圧をかけて内管を張り出すことにより水平なパイプの封鎖材を破砕し、パイプを地下水の通水路とすることが提案されている（例えば、特許文献３参照）。
【０００８】
さらに、透水パイプの両端開口に生分解性材料からなる蓋をして、地中連続壁内に埋設し、好ましくは、地上より微生物を供給パイプを介して供給して生分解性材料を分解させることにより、透水孔とすることが提案されている（例えば、特許文献４参照）。
【０００９】
【特許文献１】
特開平０７−７６８２８号公報
【特許文献２】
特開平０８−２８４１５４号公報
【特許文献３】
特開平１０−３１７３７０号公報
【特許文献４】
特開平０７−２６８８６３号公報
【００１０】
【発明が解決しようとする課題】
特許文献２に開示された技術は、バネが内蔵された特殊な水平パイプを使用する必要がある。また、ストッパー板を引き抜く必要があり、Ｈ形鋼の両フランジ部の外側で地中連続壁鋼製部材であるソイルセメント等との間で間隙を生じるばかりでなく、ソイルセメント等の硬化によりストッパー板の引き揚げ作業が困難になる恐れがある。
【００１１】
また、特許文献３に開示された技術は、地上に連続した圧力パイプとその圧力により内管を押し出すための押出し装置が必要な技術であり、これらの圧力パイプと押出し装置は地中に埋め込まれ回収不可能であり、非常に高価なものになっている。
【００１２】
さらに、特許文献４に開示された技術は、生分解性材料を必要とするものであり、地表に連通する供給パイプは微生物を供給するためのものであり、この微生物により生分解性材料を分解し、通水可能にするものであるが、このような特殊な材料を必要とする問題点があるばかりか、地下水が流れ出すまでには時間がかかるという問題点がある。
【００１３】
このように、いずれもパイプ内に特殊な仕掛けが必要であり、非常に高価になるという欠点がある。
【００１４】
本願発明は、以上の課題を解決するためになされたものであり、特殊な仕掛けを必要とせず、またストッパー板などの部品類を必要としないで地中連続壁に速やかに通水路を形成することができる通水路形成用パイプ部材、このパイプ部材で形成された通水路を有する地中連続壁および地中連続壁に通水路を形成する通水路形成方法を提供することを目的とするものである。
【００１５】
【課題を解決するための手段】
請求項１記載の地中連続壁の通水路形成用パイプ部材は、両端が開口した水平なパイプ部と、装置類を挿入可能な内径に形成され、かつ前記水平なパイプ部の中央位置に当該水平なパイプ部と連通した状態に設けられた垂直なパイプ部とから形成されてなることを特徴とするものである。
【００１６】
この場合の水平なパイプ部および垂直なパイプ部は、ともに鋼管パイプまたは硬質製合成樹脂管などで形成することができる。また、装置類としては、例えば水平なパイプ部の両端の開口部に充填された封鎖材を除去するための噴射装置、水平なパイプ部の通水状態を監視するための水流チェック装置、あるいは水平なパイプ部内を洗浄するための洗浄装置などが考えられる。
【００１７】
請求項２記載の地中連続壁の通水路形成用パイプ部材は、地中連続壁補強用断面Ｈ型の鋼製部材のフランジ部に設けられた穴に両端が開口した状態で取り付けられた水平なパイプ部と、装置類を挿入可能な内径に形成され、前記水平なパイプ部の中央位置に当該水平なパイプ部に連通した状態に設けられて上方に延びている垂直なパイプ部とから形成され、前記水平なパイプ部が前記鋼製部材のフランジ部に固定されているか、前記垂直なパイプ部の少なくとも一部が前記鋼製部材のウェブ部に固定されているか、或いは前記水平なパイプ部が前記鋼製部材のフランジ部に固定され、かつ前記垂直なパイプ部の少なくとも一部が前記鋼製部材のウェブ部に固定されていることを特徴とするものである。
【００１８】
本願請求項２記載の発明は、通水路形成用のパイプ部材が断面Ｈ型の鋼製部材と一体的に形成されていることにより、地中連続壁の施工の際、鋼製部材とパイプ部材とを同時に沈設することができて好ましい。なお、この場合の鋼製部材としては、例えばＨ形鋼などを用いることができる。
【００１９】
本願請求項２記載の発明の更に好ましい形態の通水路形成用のパイプ部材は、鋼製部材のフランジ部に設けられた穴部において両端が開口した状態で水平なパイプ部が固定されていると共に、この両端が開口した水平なパイプ部の中央位置に設けられて水平なパイプ部に連通する垂直なパイプ部の少なくとも一部（好ましくは上端）が鋼製部材のフランジ部またはウェブ部の少なくとも一方に固定されており、かつ垂直なパイプ部は噴射装置などの装置類を挿入し得る内径に形成されたパイプ部材である。
【００２０】
このようにいずれのパイプ部材においても垂直なパイプ部は、水平なパイプ部の中央位置に設けられ、かつその中に噴射装置などの装置類を挿入し得る大きさに形成されているのがよい。なお、水平なパイプ部を両端が鋼製部材のフランジ部に開けた穴よりも外側に突出可能な長さとし、造成するソイルセメント地中連続壁より外側に位置させることができるようにすることで、水平なパイプ部の外側のソイルセメント壁の厚みを薄くすることができる。
【００２１】
それ故、所定の位置に水平なパイプ部を位置させた後に水平なパイプ部の外側に位置するソイルセメントを除去する際に、該ソイルセメント部の削除が更に容易になる。従って、水平なパイプ部は両端の開口部が鋼製部材のフランジ部に開けた穴よりも外側に突出する長さとすることが更に好ましい。
【００２２】
請求項３記載の地中連続壁は、地中連続壁内に通水路形成用パイプ部材が埋設され、前記通水路形成用パイプ部材は前記地中連続壁内を水平に貫通した通水路として埋設された水平なパイプ部と、装置類を挿入可能な内径に形成され、かつ前記水平なパイプ部の中央位置に当該水平なパイプ部と連通した状態に埋設された垂直なパイプ部とから形成されてなることを特徴とするものである。
【００２３】
本願発明の場合、特に水平なパイプ部が地中連続壁を貫通する通水路として地中連続壁内に埋設されていることで通水路が確保することができ、これにより地下水流が遮断されたり、上流側の地下水位の上昇や下流側の地下水位の低下など、地中連続壁の存在が地下水流の挙動に大きな影響を与える等の問題を解消することができる。
【００２４】
なおこの場合、パイプ部材の水平なパイプ部が鋼製部材のフランジ部に設けられた穴において両端が開口した状態で固定されたものでも、水平なパイプ部に連通する垂直なバイプ部の少なくとも一部（好ましくは上端部）が鋼製部材のウェブ部に固定されていてもよい。
【００２５】
この固定状態で最も好ましいのは、パイプ部材の水平なパイプ部が鋼製部材のフランジ部に設けられた穴において両端部が開口した状態で固定され、水平なパイプ部に連通する垂直なパイプ部の少なくとも一部（好ましくは上端部）が鋼製部材のウェブ部に固定されたものである。
【００２６】
請求項４記載の地中連続壁の施工方法は、両端が開口した水平なパイプ部と、当該水平なパイプ部の中央位置に当該水平なパイプ部と連通した状態に設けられた垂直なパイプ部とからなる通水路形成用パイプ部材を、前記水平なパイプ部の両端の開口部を封鎖材で塞いだ状態でソイルセメントからなる地中連続壁内に沈設し、前記ソイルセメントが流動性を失った後、前記垂直なパイプ部内に噴射口を有する噴射装置を挿入し、かつ前記水平なパイプ部内で前記噴射口から高圧水を噴射して前記封鎖材を除去することにより通水路を形成することを特徴とするものである。
【００２７】
なお、通水路形成用パイプ部材をソイルセメント地中連続壁内に沈設する際に、水平なパイプ部の両端の開口部を塞ぐ封鎖材にソイルセメント地中連続壁による圧力がかかった場合でも、封鎖材がその圧力に対抗できるように通水路形成用パイプ部材に泥水などを充満させて、通水路形成用パイプ部材をソイルセメント地中連続壁内に沈設するようにしてもよい。また、通水路形成用パイプ部材は単独でなく、鋼製部材と共に使用されていてもよい。
【００２８】
この場合、鋼製部材のフランジ部に設けられた穴において、パイプ部材の水平なパイプ部が、両端が開口した状態で固定されていることが好ましい。また、水平なパイプ部に連通する垂直なパイプ部が鋼製部材のウェブ部に固定されている構造としてもよい。なお、封鎖材としては粘土、パラフィン、蝋などを用いることができる。
【００２９】
【発明の実施の形態】
以下に図面を用いて本願発明の実施の形態を説明すると、図１の斜視図で例示したように、本願発明に係る地中連続壁用の通水路形成用パイプ部材１（以下「パイプ部材１」という）は、両端が開口した水平なパイプ部２と垂直なパイプ部３とからなる。
【００３０】
垂直なパイプ部３は水平なパイプ部２の中央位置に垂直に設けられ、かつ水平なパイプ部２の中央位置に接続されて、垂直なパイプ部３と水平なパイプ部２とは互いに連通している。また、垂直なパイプ部３は噴射装置（図省略）を挿入し得る内径に形成されている。符号４は水平なパイプ部の両端の開口部（開口端）である。
【００３１】
なお、図１では、垂直なパイプ部３は水平なパイプ部２の中央位置に設けられている。しかし、本願発明で中央位置とは、正確な中央位置に限定されなく、略中央位置も含むことは勿論のことである。また、水平なパイプ部２と垂直なパイプ部３の形状は一般的には円筒状のものが好ましいが、四角形断面の筒状のものでも、その他の断面形状のものでもよい。
【００３２】
このように形成されたパイプ部材１が、地中連続壁の補強用鋼材として使用される地中連壁補強用断面Ｈ型の鋼製部材５（以下「鋼製部材５」という）に固定された状態の一例を図２に示す。また、図２（ａ）はパイプ部材１が縦割りになる状態の断面図であり、（ｂ）は鋼製部材５をそのウェブ部６の中心部で切断した状態の断面図である。
【００３３】
パイプ部材１を鋼製部材５に取り付ける場合、図２（ａ）に示すように、鋼製部材５のフランジ部７に設けられた穴８に水平なパイプ部２を挿通した状態とすることが好ましいが、水平なパイプ部２の両端の開口部４，４が鋼製部材５のフランジ部７，７に設けられた穴８，８と互いに向かい合うようにしてもよい。
【００３４】
このように水平なパイプ部２の両端の開口部４が外側に鋼製部材５がないような構造であればよい。即ち、鋼製部材５のフランジ部７に穴８を設け、水平なパイプ部２の両端の開口部４，４が鋼製部材５の穴８，８と同じ高さに設置されていればよい。例えば、鋼製部材５のウェブ部６に垂直なパイプ部３を固定することにより、水平なパイプ部２の両端の開口部４を鋼製部材５の穴８と同じ高さに位置させてもよく、あるいは水平なパイプ部２の両端を鋼製部材５の穴８，８に挿入して固定してもよい。
【００３５】
また地中連続壁が深い場合には、複数の鋼製部材５を縦方向に溶接などの手段で接続する場合がある。この場合、鋼製部材５に取り付けた水平なパイプ部２に連通する垂直なパイプ部３に連続するパイプ部材（図省略）と上部側の垂直なパイプ部材（図省略）とを接続するために、上部側の鋼製部材５のウェブ部６の中央にパイプ部材を垂直に固定したものを用い、このパイプ部材同士の接合部からソイルセメントがパイプ内に入らないようにすれば良い。例えばパイプ部材同士の接合部にテープ等を巻くだけでもよい。
【００３６】
図３（ａ）に示すように、断面Ｈ型の鋼製部材を使用することなく、図１に例示したようなパイプ部材１を使用する場合においても、図３（ｂ）に示すように、図２に例示したような鋼製部材５にパイプ部材１を取り付けて使用する場合においても、水平なパイプ部２の開口部４，４は、粘土、パラフィン、蝋などからなる封鎖材９で塞ぎ、ソイルセメントがパイプ内に入らないようにする。
【００３７】
このように水平なパイプ部２の開口部４，４を塞いだ状態で、パイプ部材１は造成されたソイルセメント地中連続壁の未硬化状態で流動性を有するソイルセメント１０内に沈設され、水平なパイプ部２が地盤中の地下水脈がある透水層１１の位置に存在するようにされる。なお、符号１２は非透水性の地盤である。
【００３８】
そして、ソイルセメント１０が流動性を失った段階で、図４に示すように噴射装置として先端に高圧ジェット１３を噴出できる噴射口（ジェットノズル）１４ａを横向きに有する中空ロッド１４を使用し、この中空ロッド１４を地表から垂直なパイプ部３を通して挿入し、水平なパイプ部２内で噴射口１４ａから水あるいは空気、場合によっては水と共に空気を高圧で噴射することにより、封鎖材９およびその外側に存在するソイルセメントを破壊して、水平なパイプ部２の開口部４，４を透水層１１に通じる状態にすることができる。
【００３９】
図４においては、右側の透水層１１側は封鎖材９が存在した状態としているが、左側の透水層１１側と同じく先端に高圧ジェット１３を噴出できる噴射口１４ａを横向きに有するロッド１４を使用して水平なパイプ部２の開口部４を透水層１１に通じる状態にすることができる。この場合に、中空ロッド１４に適用する圧力は超高圧とすることが一般的に好ましい。
【００４０】
このようにして、高圧ジェット１３を横向きに噴射することにより、封鎖材９および水平なパイプ部２の外側に存在するソイルセメントを破砕し、水平なパイプ部２の開口部４，４を透水層１１に通じる状態にすることができるが、このように破砕除去できるようにするために、噴射口１４ａの孔径を小さくして高圧で噴射する必要がある。
【００４１】
本願発明と異なり、水平なパイプ部２の両開口部４，４の近くに垂直なパイプ部３をそれぞれ設けた場合は、図５（ｂ）に示すように、中空ロッド１４を大きく回転させて角度αの範囲で噴射口１４ａの向く方向を変えることにより、水平なパイプ部２の開口端の封鎖材９を全て取り除く必要があるばかりでなく、水平なパイプ部２の外側に存在するソイルセメントの破砕角度も大きくなる。
【００４２】
しかし、本願発明のように垂直なパイプ部３を水平なパイプ部２の中央位置に設けた場合は、図６（ｂ）に示すように、中空ロッド１４を回転させて噴射口１４ａの向きを大きく変える必要がなく、中空ロッド１４を殆ど回転させてなくとも（すなわち、角度βの範囲で噴射口１４ａの向きを変えるだけで）、水平なパイプ部２の開口端の封鎖材９を全て除去できるばかりでなく、水平なパイプ部２の外側に存在するソイルセメントの破砕角度を小さくすることができる。
【００４３】
勿論、図５および図６に示すいずれの場合も、図５（ａ）や図６（ａ）に示すように、中空ロッド１４を上下動させて、水平なパイプ部２の開口端の封鎖材９とその外側のソイルセメントを破砕して取り除く必要がある。
【００４４】
なお、水平なパイプ部２の開口端は鋼製部材５のフランジ部７に開けた穴８より外側に突出する長さとし、造成するソイルセメント地中連続壁より外側に位置させることができるようにすると、水平なパイプ部２の外側のソイルセメント壁の厚みを薄くすることができる。
【００４５】
それ故、所定の位置に水平なパイプ部２を位置させた後に、水平なパイプ部２の外側に位置するソイルセメントの削除を行う際に、該部分のソイルセメントの削除が更に容易になる。従って、水平なパイプ部２の開口端は鋼製部材５のフランジ部７に開けた穴８よりも外側にでる大きさとすることが更に好ましい。
【００４６】
上記したように噴射装置を使用することにより、水平なパイプ部２の開口端を図７（ａ）に示したように透水層１１に通じる通水路１５とする。
【００４７】
なお、この状態で、好ましくは、垂直なパイプ部３から水平なパイプ部２内にガラス玉、丸い小石などのドレーン材１６を落下することにより、通水路１５内を通して上流側の土砂の下流側への流出を抑えるようにする。ドレーン材１６としては、例えば砂利、砕石などのドレーン材でもよいが、水平なパイプ部２の両端近くまでドレーン材１６を充填するためには、球状の転がりやすいドレーン材であることが好ましく、例えばドレーン材１６としてガラス玉や玉石などの球状のものが最適である。
【００４８】
ドレーン材１６を充填した例を図７（ｂ）に示す。図７（ｂ）に示す例においては、球状のドレーン材１６の径は大小２種類のものを使用しているが、勿論、１種類の径のドレーン材１６であってもよい。
【００４９】
このような水平なパイプ部２を有するパイプ部材１を地中連続壁内に、図８に示すように適当な間隔で設置する。即ち、地下水流の流量などに応じて、パイプ部材１の設置間隔や、水平なパイプ部２の断面積の大きさ等を決めればよい。
【００５０】
このようにして、水平なパイプ部２を地下水流の通水路とするが、垂直なパイプ部３内に地上からファイバースコープなどの水流チェック装置（図省略）を降ろして、通水状態を監視することができる。
【００５１】
また、水平なパイプ部２で目詰まりを起こして、通水量が落ちている場合は、先端に高圧ジェットを噴出できる噴射口を有する中空ロッドを、パイプ内の洗浄装置として地表から垂直なパイプ部３を通して挿入し、水あるいは空気、場合によっては水と共に空気を高圧で噴射することにより目詰まりを解消でき、常に所望の通水量を維持させることができる。
【００５２】
このように、洗浄装置を垂直に挿入し、水平なパイプ部２内を洗浄することができ、目詰まりを解消でき、常に所望の通水量を維持させることができる。また、地盤中に地下水脈が存在する透水層１１が上下に複数層存在する場合は、例えば図９と図１０に例示するように、透水層１１の位置に合わせて水平なパイプ部２が位置するように、パイプ部材１を配置すればよい。図９において上部側に位置させた水平なパイプ部２が上部側の透水層１１に位置し、下部側に位置させた水平なパイプ部２が下部側の透水層１１に位置している。
【００５３】
なお、図１１に示すように、地中連続壁を山留め壁として利用し、２つの地中連続壁に囲まれた部分の地盤を掘削する場合に、上部側透水層１１の位置の水平なパイプ部２が掘削された部分に存在するようになる場合は、垂直なパイプ部３を通じて先端に高圧ジェット１３を噴出できる噴射口１４ａを横向きに有する中空ロッド１４を使用しなくとも、適宜の手段で透水層に通じる通水路とすることができる。
【００５４】
このような位置においては、左右の地中連続壁の間は、図１１に例示するように、パイプ１７で繋ぎ、上流側の地下水が下流側に流れるようにすることができる。この場合も垂直なパイプ部３が存在するので、垂直なパイプ部３内に地上からファイバースコープなどの水流チェック装置を降ろして、通水状態を監視することができる。
【００５５】
また、水平なパイプ部２で目詰まりを起こして、通水量が落ちている場合は、先端に高圧ジェットを噴出できる噴射口を有する中空ロッドを地表から垂直なパイプ部３を通して挿入し、水平なパイプ部２を水あるいは空気、場合によっては水と共に空気を高圧で噴射することにより目詰まりを解消でき、常に所望の通水量を維持させることができる。
【００５６】
【発明の効果】
本願発明は以上説明したとおりであり、請求項１記載の通水路形成用パイプ部材は、両端が開口した水平なパイプ部と、噴射装置を挿入可能な内径に形成され、かつ前記水平なパイプ部の中央位置に当該水平なパイプ部と連通した状態に設けられた垂直なパイプ部とから形成されてなるので、パイプ内にソイルセメントなどの材料が入り込まないように水平なパイプ部の両端開口部を封鎖材で塞いでソイルセメントなどの地中連続壁内に沈設し、ソイルセメント等が流動性を失った後に下端に横向きの噴射口を有する噴射装置を垂直なパイプ部内に挿入し、水平なパイプ部内で噴射口から高圧水を噴射することにより容易に通水路が形成できる。
【００５７】
この場合、噴射装置の噴射口は水平なパイプ部の中央部であり、噴射方向を変えるために少しだけ回転するだけで確実に通水路が形成できると共に、通水路はパイプであるので確実な形の通水路とすることができる。また、使用した噴射装置は用済み次第、地上に回収し、繰り返し、再使用できる。
【００５８】
このように、本願発明の通水路形成用パイプ部材は、従来例のように特殊な部材を水平なパイプ部に内在させる必要もなく、装置として安価である。さらに、垂直なパイプ部を利用して地上からファイバースコープなどの水流チェック装置を降ろして、通水状態を監視することができる。また、水平なパイプ部で目詰まりを起こした場合も、洗浄装置を垂直に挿入し、水平なパイプ部内を洗浄することができ、目詰まりを解消でき、常に所望の通水量を維持させることができる。
【００５９】
また、必要な場合は、垂直なパイプ部を利用して水平なパイプ部内に球状のドレーン材を沈設することができる。それにより、通水路内を通して上流側の土砂の下流側への流出を抑えるようにすることができる。例えば、垂直なパイプ部内を通じて、ガラス玉、丸い小石などのドレーン材を落下させて、水平なパイプ部内に充填することが可能である。
【００６０】
請求項２記載の通水路形成用パイプ部材は、地中連続壁補強用断面Ｈ型の鋼製部材のフランジ部に設けられた穴に両端が開口した状態で取り付けられた水平なパイプ部と、噴射装置を挿入可能な内径に形成され、前記水平なパイプ部の中央位置に当該水平なパイプ部に連通した状態に取り付けられた垂直部とから形成され、前記水平なパイプ部が前記鋼製部材のフランジ部に固定されているか、前記垂直なパイプ部の少なくとも一部が前記鋼製部材のウェブ部に固定されているか、或いは前記水平なパイプ部が前記鋼製部材のフランジ部に固定され、かつ前記垂直なパイプ部の少なくとも一部が前記鋼製部材のウェブ部に固定され、前記水平なパイプ部と前記垂直なパイプ部の少なくとも一方が断面Ｈ型の鋼製部材と一体的に構成されているため、地中連続壁の施工の際にパイプ部材の沈設と地中壁の補強材としてのＨ型鋼材の沈設が一工程で行えるので好ましい。
【００６１】
この場合、水平なパイプ部の開口部は断面Ｈ型の鋼製部材のフランジ部に空けた穴よりも外側に出ていると、噴射装置によってソイルセメントが削除し易くなる。さらに、本願発明の通水路形成用パイプ部材が挿入された地中連続壁は、水平なパイプ部が通水路となると共に、垂直なパイプ部材が存在することにより、通水量の観測や目詰まりを解消するための洗浄作業を地表面から実施することができる。
【００６２】
本願発明は、特に水平なパイプ部が地中連続壁を貫通する通水路として地中連続壁内に埋設されていることで通水路を確実に確保することができ、これにより地下水流が遮断されたり、上流側の地下水位の上昇や下流側の地下水位の低下など、地中連続壁の存在が地下水流の挙動に大きな影響を与える等の問題を解消することができる。
【００６３】
請求項４記載の地中連続壁の通水路形成方法は、水平なパイプ部の両端開口を封鎖材で塞いで、ソイルセメントなどの地中連続壁中に沈設してパイプ内にソイルセメントなどの材料が入り込まないようにして、ソイルセメントが流動性を失った後、垂直なパイプ部内に下端に横向きの噴射口を有する噴射装置を挿入し、水平なパイプ部内で噴射口から高圧水を噴射することによりソイルセメントの地中連続壁に通水路をきわめて容易に形成することができ、このことにより地中連続壁内に通水路を確実に形成できるとともに、通水路はパイプであるので確実な形の通水路とすることができる。
【００６４】
この場合、水平なパイプ部内における噴射口の位置は水平なパイプの中央部であり、噴射方向を変えるために少しだけ回転するだけで確実に通水路が形成できる。また、使用した噴射装置は用済み次第、地上に回収し、繰り返し、再使用できる。
【図面の簡単な説明】
【図１】本願発明の地中連続壁用通水路形成用パイプ部材の一例を示す一部斜視図である。
【図２】本願発明の地中連続壁用通水路形成用パイプ部材を断面Ｈ型鋼材と共に一体化した例を示し、（ａ），（ｂ）は互いに異なる方向の断面的模式図である。
【図３】（ａ），（ｂ）は、本願発明の地中連続壁用通水路形成用パイプ部材をソイルセメント中に埋設した状態を示す一部断面図である。
【図４】図３の状態から通水可能にする工程を示す図である。
【図５】（ａ），（ｂ）は、比較例のパイプ部材における噴射装置の使用状態を示す図である。
【図６】（ａ），（ｂ）は、本願発明のパイプ部材における噴射装置の使用状態を示す図である。
【図７】（ａ）は通水している状態を示す断面図、（ｂ）はドレーン材を充填した状態を示す断面図である。
【図８】（ａ），（ｂ）は、本願発明の地中連続壁用通水路形成用パイプ部材が配された地中連続壁を示す断面図である。
【図９】（ａ），（ｂ）は、地下水路が上下に存在する場合の対処例を示す断面図である。
【図１０】地下水路が上下に存在する場合の対処例を示す断面図である。
【図１１】地下水路が上下に存在する場合の対処例を示す断面図である。
【符号の説明】
１  パイプ部材（通水路形成用パイプ部材）
２  水平なパイプ部
３  垂直なパイプ部
４  開口部
５  鋼製部材（地中連壁補強用断面Ｈ型の鋼製部材）
６  ウエブ部
７  フランジ部
８  穴
９  封鎖材
１０  ソイルセメント
１１  透水層
１２  非透水性の地盤
１３  高圧ジェット
１４  中空ロッド
１４ａ  噴射口
１５  通水路
１６  ドレーン材
１７  パイプ
【図１】
2004176498.tif 000003
【図２】
2004176498.tif 000004
【図３】
2004176498.tif 000005
【図４】
2004176498.tif 000006
【図５】
2004176498.tif 000007
【図６】
2004176498.tif 000008
【図７】
2004176498.tif 000009
【図８】
2004176498.tif 000010
【図９】
2004176498.tif 000011
【図１０】
2004176498.tif 000012
【図１１】
2004176498.tif 000013